【事件の表示】
　　特許第２７２４２２０号「毛髪化粧料」の特許に対する特許異議の申立てについて、次のとおり決定する。
【結論】
　訂正を認める。
　特許第２７２４２２０号の特許を維持する。
【理由】
Ｉ　手続の経緯
　本件特許第２７２４２２０号は、平成１年１０月１７日に出願され、平成９年１１月２８日にその特許の設定登録がなされ、ウエラ　アクチェンゲゼルシャフトより特許異議の申立てがあり、取消理由の通知がなされ、その指定期間内である平成１１年３月２日に訂正請求がなされ、その後、訂正拒絶理由の通知がなされ、その指定期間内である平成１１年８月２０日に手続補正がなされたものである。
ＩＩ　訂正の適否についての判断
１　訂正請求に対する補正の適否について
　特許権者は、訂正明細書の特許請求の範囲請求項１の後段（訂正請求書２頁２０〜２２行）を、
「噴射剤１〜１５重量％を含有し、ミノキシジルを含有せず、水でバランスさせてなり、噴射剤容器に充▲填▼されて用いられることを特徴とするトリートメントムース、セットムース及び整髪料から選ばれる毛髪化粧料。」とする補正を求めるものであり、この訂正請求に対する補正は、特許請求の範囲の減縮を目的とするものである。また、その余の訂正明細書の補正は上記した特許請求の範囲の補正に伴って生じる明細書の明りょうでない記載の釈明を目的とするものである。
　そして、これら訂正請求に対する補正は、訂正明細書に記載した事項の範囲内のものであり、かつ、実質上特許請求の範囲の範囲を拡張し、又は変更するものでもないから、訂正請求書の要旨を変更するものではなく、特許法第１２０条の４第３項で準用する第１３１条第２項の規定に適合する。
２　訂正の内容
　本件訂正請求は、▲１▼特許請求の範囲請求項１を、
「次の一般式（Ｉ）
　　Ｒ１−Ｏ−（Ｒ２Ｏ）ｍ（Ｇ）ｎ　（Ｉ）
〔式中、Ｒ１は炭素数６〜２８の直鎖または分岐鎖のアルキル基、アルケニル基もしくはアルキルフェニル基を示し、Ｒ２は炭素数２〜４のアルキレン基を示し、Ｇは炭素数５〜６の還元糖を示し、ｍは０〜１０の数を示し、ｎは１〜１０の数を示す。〕で表されるアルキルサッカライド系界面活性剤０．１〜２０重量％、水溶性高分子物質０．１〜８．０重量％及び噴射剤１〜１５重量％を含有し、ミノキシジルを含有せず、水でバランスさせてなり、噴射剤容器に充▲填▼されて用いられることを特徴とするトリートメントムース、セットムース及び整髪料から選ばれる毛髪化粧料。」に訂正し、▲２▼発明の名称を「毛髪化粧料」に訂正し、併せて、▲３▼対応する特許明細書の発明の詳細な説明の記載を整合させ、さらに、▲４▼本件明細書１５頁９行（本件特許公報８欄１４行）の「表−１」を「表−２」に訂正するものである。
３　訂正の目的の適否、新規事項の有無及び拡張・変更の存否
　上記▲１▼の訂正は、本件特許の「発泡組成物」を、その使用態様の一つとして本件特許明細書に記載されている「トリートメントムース、セットムース及び整髪料から選ばれる毛髪化粧料」に限定するとともに、該毛髪化粧料がミノキシジル成分を含有しないことを明記したものであるから、特許請求の範囲の減縮を目的としたものである。
　また、上記▲２▼、▲３▼の訂正は、特許請求の範囲の訂正に伴って生じる明細書の明りょうでない記載の釈明を目的とするものであり、さらに、上記▲４▼の訂正は誤記の訂正を目的とするものである。
　したがって、これら訂正は、願書に添付した明細書に記載した事項の範囲内のものであり、誤記の訂正にあっては願書に最初に添付した明細書に記載した事項の範囲内のものであり、かつ、実質上特許請求の範囲の範囲を拡張し、又は変更するものでもない。
４　独立特許要件の判断
（１）本件発明
　訂正後の請求項１に係る発明（以下「本件発明」という。）は、その特許請求の範囲の請求項１に記載された次の事項により特定されるものと認める。
「次の一般式（Ｉ）
　　Ｒ１−Ｏ−（Ｒ２Ｏ）ｍ（Ｇ）ｎ　（Ｉ）
〔式中、Ｒ１は炭素数６〜２８の直鎖または分岐鎖のアルキル基、アルケニル基もしくはアルキルフェニル基を示し、Ｒ２は炭素数２〜４のアルキレン基を示し、Ｇは炭素数５〜６の還元糖を示し、ｍは０〜１０の数を示し、ｎは１〜１０の数を示す。〕で表されるアルキルサッカライド系界面活性剤０．１〜２０重量％、水溶性高分子物質０．１〜８．０重量％及び噴射剤１〜１５重量％を含有し、ミノキシジルを含有せず、水でバランスさせてなり、噴射剤容器に充填されて用いられることを特徴とするトリートメントムース、セットムース及び整髪料から選ばれる毛髪化粧料。」
（２）引用刊行物等の記載
　刊行物１（特開昭６１−２７５３９５号公報、甲第１号証）には、
「分与ヘッドおよび弁付きの加圧デイスペンサーを有しかつその中に
Ａ．濃厚物の重量で
１．温和な陰イオン界面活性剤および温和な両性界面活性剤からなる群から選択される温和な非セッケン界面活性剤３％〜２０％、
２．重合体皮膚感触助剤０．０５％〜５％、
３．吸蔵性モイスチャライザーおよび非吸蔵性モイスチャライザーからなる群から選択されるモイスチャライザー１０％〜６０％、
４．残部水
　を含有する濃厚物８８％〜９７％、および
Ｂ．全乳濁液の３〜１２重量％の噴射剤からなる泡形成乳濁液を含有することを特徴とする皮膚清浄化乳濁液ムース調製製品。」（特許請求の範囲第１項）、「前記重合体が、・・・アクリル酸および（または）メタクリル酸から誘導される陽イオンおよび非イオン単独重合体および共重合体・・・皮膚清浄化乳濁液ムース調製製品。」（特許請求の範囲第８項）、「前記の温和な界面活性剤が・・・アルキルグルコシド・・・からなる群から選択される…皮膚清浄化乳濁液ムース調製製品。」（特許請求の範囲第１４項）、「本発明は、温和なヒトの皮膚清浄剤に関する。・・・本発明は、界面活性剤および他の皮膚清浄剤からなる皮膚清浄剤の加圧エアゾールムースデイスペンサー・・・に関する。」（３頁右下欄１２〜１６行）、「加圧泡ディスペンサーにおいては、発泡性濃厚物・・・は、分与ヘッドおよび弁付きのデイスペンサーに収納され、そして通常ガス状の噴射剤・・・で加圧される。分与ヘッドを通しての乳濁液の排出時に、噴射剤の分散液の揮発が、分与された濃厚物を発泡させる。」（３頁右下欄１８行〜４頁左上欄６行）、「本発明のムースは、豊富な富んだクリーム状泡を与え、そして洗浄後柔軟かつ平滑に皮膚感触をしておく。」（５頁左下欄１４〜１６行）、「モイスチャライザーは、皮膚コンディショニング利益を与え、そして洗浄後に余りつっぱらず／乾燥せず、更に潤いを与え、より柔軟、かつより平滑に皮膚感触をしておくのを助長させるために配合される。・・・最も好ましいモイスチャライザーは、グリセリンである。」（５頁右下欄８行〜６頁左上欄５行）、「本発明で使用される好ましい温和な陰イオン界面活性剤および両性界面活性剤は、・・・アルキルグルコシド・・・を包含する。これらの界面活性剤用のアルキル鎖は、Ｃ８〜Ｃ２２、好ましくはＣ１０〜Ｃ１８である。」（６頁右下欄８行〜７頁左上欄２行）と記載されている。
　刊行物２（米国特許第４、５９９、１８８号明細書、甲第２号証）には、
「（１）式ＲＯ（Ｒ１Ｏ）ｔ（Ｚ）ｘ〔式中、Ｚは５〜６個の炭素原子を含む還元されたサッカライドから誘導される基であり・・・〕を有するアルキルポリサッカライド界面活性剤；（２）アニオン性共界面活性剤・・・；（３）約２％〜約１０％の補助泡立て増進剤・・・からなるフォーム組成物（ｆｏａｍｉｎｇ　ｃｏｍｐｏｓｉｔｉｏｎ）。」（１８欄１２〜５５行）、「驚くことに、共界面活性剤は、本発明のアルキルポリサッカライド界面活性剤と相互作用して、容易にすすげる比較的安定な泡を与えることが見出された。」（２欄１６〜１９行）、「アルキルポリサッカライド界面活性剤は生成する泡を安定化させるとともに、より迅速に洗い流すことを可能とする。」（４欄６８行〜５欄２行）、「アルキルベンゼンスルホネート及び／又は石けん共界面活性剤及びアルキルポリサッカライド界面活性剤の混合物を撹拌下において水中で共界面活性剤対アルキルポリサッカライドの比率・・・で使用して泡を与えることができる。これらの泡は比較的安定であり、そして乱さないならば数日間存在できる。（８欄３〜９行）、「本発明のフォーム（ｆｏａｍｓ）の顕著な特性によって、大量の安定な泡と迅速な洗浄除去性が望まれるような、泡風呂、シェービングクリーム、洗濯、食器洗い及び洗髪のみならず洗浄性を必要とする幅広い領域で使用する価値がある。」（８欄１５〜２０行）、「洗浄組成物においてこの組成物は、・・・ヘアコンディショニング剤・・・香料を含んでいてもよい。」（９欄３６〜４２行）と記載されている。
　先願明細書（特願平１−２１６１８８号、特開平２−１０８６１５号公報参照、甲第３号証）には、
「生理学的に許容し得る媒体中に、少なくとも１種のアルキルポリグリコシドおよび式（化学構造式は略）・・・を有する少なくとも１種の化合物、ならびに化粧品として、または医薬として許容し得る会合酸の付加塩を含有する、毛髪の成長を誘発、刺激し、かつ／または毛髪の損失を減少させるための組成物。」（特許請求の範囲第１項）、「本発明は毛髪の成長を誘発、刺激し、かつ／またはその損失を減少させるための、少なくとも１種のピリミジン誘導体と少なくとも１種のアルキルポリグリコシド界面活性剤とを組み合わせて含有する組成物に関する」（３頁左下欄３〜７行）、「アルキルポリグリコシドをピリミジン誘導体とともに用いることにより、この組成物が毛髪の成長を誘発または刺激し、毛髪の損失を減少させる効力を改良することが可能であることを見いだした。」（４頁左下欄１２〜１６行）、「本発明記載の組成物はまた、化粧品としても好適であり、長時間洗浄することなく接触させたのちにも頭皮に炎症・・・を起こすことはない。」（４頁右下欄７〜１０行）、「本発明のその他の目標は、この組成物を用いる毛髪および頭皮の美容的処置方法を提供することである。」（４頁右下欄１９行〜５頁左上欄１行）、「本発明に従って使用するアルキルポリグリコシドは・・・構造式（ＩＩＩ）・・・に相当するものである。」（５頁左下欄１９行〜右下欄８行）、「上記のアルキルポリグリコシド界面活性剤は、組成物の全重量に対して１ないし３０重量％の、好ましくは５ないし１５％の比率で使用する。」（６頁左上欄８〜１０行）、「公知の濃化剤・・・セルローズ誘導体および網状の、または非網状のアクリル重合体ならびにポリエチレングリコールおよびその誘導体を使用することができる。これらの濃化剤は好ましくは組成物の全重量に対して０．１ないし６重量％の比率で使用する。」（６頁右上欄８〜１６行）、「これらの組成物はまた、化粧品組成物または医薬組成物に通常使用する成分、たとえば保存剤、・・・染料、・・・香料または重合体を含有してもよい。」（６頁右上欄１７行〜左下欄１行）、
「実施例７
　以下の組成を有するムース（ＭＯＵＳＳＥ）シャンプーを製造した：
−・・・アルキルポリグリコシド・・・　　１３．０ｇ
−ミノキシジル　　　　　　　　　　　　　０．１５ｇ
・・・
−水　　　　　　　　　　　　　　　　　１００．０ｇ
　エアロゾル配合剤：
−上記の組成物　　　　　　　　　　　　　９５．０ｇ
−・・・
　アエロガス・・・
　で市販されている
　ｎ−ブタン、５５％ブタン
　およびプロパンの三元混合物　　　　　　　５．０ｇ」
（７頁右下欄１６行〜８頁左上欄１７行）と記載されている。
　また、甲第４号証（Ｕｌｌｍａｎｎ’ｓ　Ｅｎｃｙｃｌｏｐｅｄｉａ　ｏｆ　Ｉｎｄｕｓｔｒｉａｌ　Ｃｈｅｍｉｓｔｒｙ，Ｆｉｆｔｈ，Ｃｏｍｐｌｅｔｅｌｙ　Ｒｅｖｉｓｅｄ　Ｅｄｉｔｉｏｎ，Ｖｏｌ．Ａ２５　７９２〜７９３頁）には、「アルキルポリグルコシド・・・オリゴグルコシドを含むアセタール結合されたグルコシドは、グルコースと脂肪アルコールとのアセタール化によって均一混合物として得られる。１分子中の平均グルコース単位数は１〜３個である。」（７９２頁３４〜３９行）と記載されている。
（３）対比・判断
　ア　新規性について
　本件発明と刊行物１記載の発明を対比する。
　刊行物１には、界面活性剤としてアルキル鎖がＣ８〜Ｃ２２であるアルキルグリコシドを用いること、重合体皮膚感触助剤としてアクリル酸及び／又はメタクリル酸から誘導される陽イオン及び非イオン（共）重合体を用いることが記載されており、これらは、それぞれ、本件発明のアルキルサッカライド系界面活性剤、水溶性高分子物質に相当し、また、刊行物１の分与ヘッドおよび弁付きの加圧デイスペンサーは、本件発明の噴射剤容器に相当し、さらに、刊行物１はミノキシジルを含有せず、上記した各成分の量比は本件発明と一致しているから、両者は、
「次の一般式（Ｉ）
　　Ｒ１−Ｏ−（Ｒ２Ｏ）ｍ（Ｇ）ｎ　（Ｉ）
〔式中、Ｒ１は炭素数６〜２８の直鎖または分岐鎖のアルキル基、Ｒ２は炭素数２〜４のアルキレン基を示し、Ｇは炭素数５〜６の還元糖を示し、ｍは０の数を示し、ｎは１〜１０の数を示す。〕で表されるアルキルサッカライド系界面活性剤０．１〜２０重量％、水溶性高分子物質０．１〜８．０重量％及び噴射剤１〜１５重量％を含有し、ミノキシジルを含有せず、水でバランスさせてなり、噴射剤容器に充▲填▼されて用いられる組成物」である点で一致し、
▲１▼その用途として、本件発明が「トリートメントムース、セットムース及び整髪料から選ばれる毛髪化粧料」であるのに対し、刊行物１記載の発明は「皮膚清浄化乳濁液ムース調製製品」である点、
▲２▼刊行物１記載の発明が特にモイスチャライザーを必須成分としているのに対し、本件発明は該成分を必須成分としていない点で相違している。
　そこで、上記相違点▲１▼について検討する。
　刊行物１には「本発明は、温和なヒトの皮膚清浄剤に関する。」（３頁左下欄１２行）、「本件発明は、洗浄後に余りつっぱらず／乾燥せず、更に潤いを与え、より柔軟かつ平滑に皮膚感触をしておきつつ富んだクリーム状泡と皮膚感触との優れた組み合わせを有する温和な皮膚清浄ムースを提供する。」（５頁右上欄８〜１２行）、「分割洗顔パネルテスト（生体）このテストは顔の皮膚の影響の差異に鋭敏な専門的な女性のパネリストを用いて実施される。・・・尋ねられた質問は、「あなたの顔のどちら側がよりタイトに感じるか」ということであった。」（１１頁左上欄１１〜１７行）と記載されている。
　以上によれば、刊行物１の「皮膚清浄化乳濁液ムース調製製品」は、ヒトの皮膚に適用されて洗浄後に好ましい皮膚感触を示す皮膚清浄剤を意味し、毛髪化粧料には適用されるものではないと解するのが相当である。
　そうすると、本件発明の「トリートメントムース、セットムース及び整髪料から選ばれる毛髪化粧料」と刊行物１の「皮膚清浄化乳濁液ムース調製製品」とは、その使用態様が明確に相違し、用途が相違するものであるから、本件発明は刊行物１に記載された発明とはいえない。
　したがって、上記相違点▲２▼を検討するまでもなく、本件発明は刊行物１に記載された発明であるとすることはできない。
　イ　進歩性について
　刊行物２の記載内容を検討する。刊行物２には、アルキルサッカライド界面活性剤、陰イオン共界面活性剤及び補助泡立て増進剤とからなるフォーム組成物（ｆｏａｍｉｎｇ　ｃｏｍｐｏｓｉｔｉｏｎ）が記載され、そしてこのものは、使用時に水中で撹拌することによって泡を生じさせて用いることが記載され（８欄３〜８行）、さらに、該組成物は泡風呂、シェービングクリーム、洗髪等に使用できることが記載されている。
　しかし、刊行物２には、該組成物を噴射剤を用いてフォーム化させることについて記載されていないし、また、その用途として、トリートメントムース、セットムース及び整髪料から選ばれる毛髪化粧料が記載されているわけでもない。
　また、甲第４号証はアルキルポリグルコキシドの一般的な定義を記載するのみで、本件発明の構成について何ら触れるものではない。
　そうすると、刊行物１の記載に、刊行物２及び甲第４号証の記載を併せ考慮しても、上記相違点▲１▼に係る構成を採用することは当業者にとって容易に想到し得るものではない。
　そして、本件発明は上記認定のとおりの構成を採用することにより、噴射により発泡し、得られた泡は泡持ちが良く、しかも広い温度範囲において安定した起泡性を有する等の優れた泡特性を有するという顕著な効果を奏するものと認められる。
　したがって、上記相違点▲２▼を検討するまでもなく、本件発明は刊行物１及び２に記載された発明に基いて当業者が容易に発明をすることができたものとはいえない。
　ウ　先願性について
　本件発明と先願明細書に記載された発明（以下「先願発明」という。）を対比する。
　先願明細書には、先願発明の組成物は毛髪化粧料として使用できること、また、アルキルポリグリコシドは構造式（ＩＩＩ）で表されるものが使用されることが記載され（公開公報５頁右下欄）、その使用量は組成物の全重量に対して１ないし３０重量％の比率で使用されることが記載されている。
　さらに、先願明細書には、公知の濃化剤として、セルローズ誘導体、非網状のアクリル重合体、ポリエチレングリコール及びその誘導体を、組成物の全重量に対して０．１ないし６重量％の比率で使用できることが記載されている。
　そして、上記例示の濃化剤は水溶性高分子物質であることは技術常識であるから、先願明細書には、本件発明の水溶性高分子物質が記載されているといえる。
　また、先願明細書には、具体的にｎ−ブタン、５５％ブタン及びプロパンの三元混合物をアエロガスとするムースシャンプーが記載されており（同公報７頁実施例７）、上記ムースシャンプーが、ｎ−ブタン等の三元混合ガスを含むことを考慮すれば、先願発明においても、噴射剤容器に充▲填▼して用いていると解するのが自然である。
　結局、先願発明と本件発明とは、先願発明が先願明細書の式（Ｉ）で表されるピリミジン誘導体を必須成分として使用するものであるのに対し、本件発明は特に該ピリミジン誘導体を必須成分として使用することについて明示の記載がない点で相違している。
　そこで、更に本件発明の毛髪化粧料が該ピリミジン誘導体を包含するか否か以下検討する。
　本件明細書には、「本発明の毛髪化粧料には、上記の必須成分の他に本発明の効果を損なわない範囲で、剤型に応じて適宜他の成分を含有することができる。」（訂正明細書４頁７、８行）、「また、更に、他の成分として、公知の化粧料成分、即ち、両性活性剤、・・・香料等を本発明の効果を損なわない範囲で、剤型に応じて適宜他の成分を含有することができる。」（訂正明細書６頁１９〜２４行）と記載され、この記載によれば、本件発明の毛髪化粧料には上記の必須成分の他に本件発明の効果を損なわない範囲で任意成分を含有することができると認められる。
　一方、先願明細書には、該ピリミジン誘導体について、「毛髪の成長を誘発、刺激し、かつ／または毛髪の損失を減少させる」（特許請求の範囲第１項、３頁左下欄３、４行等）と記載され、この記載によれば、該ピリミジン誘導体は毛髪の成長を誘発、刺激し、かつ／または毛髪の損失を減少させるという薬効を有するものであり、先願発明は該ピリミジン誘導体を組成物に配合することにより上記した薬効を有する組成物を提供するものと認められる。
　そうすると、本件発明の毛髪化粧料は、任意成分を含有することを特に排除するものではないが、該任意成分は、あくまで通常使用され、特段の効果を付加するものではない成分を意味し、上記した特定の薬効を有する該ピリミジン誘導体を含まないと解するのが自然である。
　よって、本件発明は、該ピリミジン誘導体を含むものではないから、該ピリミジン誘導体を必須成分する先願発明と同一であるとはいえない。
　したがって、本件訂正後の請求項１に係る発明は、特許出願の際独立して特許を受けることができるものである。
（４）むすび
　以上のとおりであるから、本件訂正は、特許法第１２０条の４第２項及び同条第３項で準用する第１２６条第２項から４項の規定に適合するから、当該訂正を認める。
ＩＩＩ　異議申立てについての判断
１　異議申立ての理由の概要
　異議申立人は、訂正前の請求項１に係る発明は甲第１号証に記載された発明である、甲第１、２号証に記載された発明に基いて当業者が容易に発明をすることができたものである、また、甲第第３号証に記載された発明と同一であるから、本件特許は取り消されるべきであると主張している。
２　判断
　異議申立人の主張はいずれも採用できないことは、上記ＩＩ４から明らかである。
３　むすび
　以上のとおり、特許異議申立ての理由及び証拠をもっては、本件請求項１に係る発明の特許を取り消すことはできない。
　また、他に本件請求項１に係る発明の特許を取り消すべき理由を発見しない。
　よって、結論のとおり決定する。
【異議決定日】
平成１１年１１月２５日（１９９９．１１．２５）
【訂正の要旨】
訂正の要旨
１　本件訂正請求は、▲１▼特許請求の範囲請求項１を、
「次の一般式（Ｉ）
　　Ｒ１−Ｏ−（Ｒ２Ｏ）ｍ（Ｇ）ｎ　（Ｉ）
〔式中、Ｒ１は炭素数６〜２８の直鎖または分岐鎖のアルキル基、アルケニル基もしくはアルキルフェニル基を示し、Ｒ２は炭素数２〜４のアルキレン基を示し、Ｇは炭素数５〜６の還元糖を示し、ｍは０〜１０の数を示し、ｎは１〜１０の数を示す。〕で表されるアルキルサッカライド系界面活性剤０．１〜２０重量％、水溶性高分子物質０．１〜８．０重量％及び噴射剤１〜１５重量％を含有し、ミノキシジルを含有せず、水でバランスさせてなり、噴射剤容器に充▲填▼されて用いられることを特徴とするトリートメントムース、セットムース及び整髪料から選ばれる毛髪化粧料。」に訂正し、▲２▼発明の名称を「毛髪化粧料」に訂正し、併せて、▲３▼対応する特許明細書の発明の詳細な説明の記載を整合させ、さらに、▲４▼本件明細書１５頁９行（本件特許公報８欄１４行）の「表−１」を「表−２」に訂正するものである。
２　上記▲１▼の訂正は、特許請求の範囲の減縮を目的とし、上記▲２▼、▲３▼は明細書の明りょうでない記載の釈明を目的とし、また、上記▲４▼の訂正は誤記の訂正を目的とするものである。
（５４）【発明の名称】
毛髪化粧料
（５７）【特許請求の範囲】
（１）次の一般式（Ｉ）
　　Ｒ１−Ｏ−（Ｒ２Ｏ）ｍ（Ｇ）ｎ　（Ｉ）
〔式中、Ｒ１は炭素数６〜２８の直鎖または分岐鎖のアルキル基、アルケニル基もしくはアルキルフェニル基を示し、Ｒ２は炭素数２〜４のアルキレン基を示し、Ｇは炭素数５〜６の還元糖を示し、ｍは０〜１０の数を示し、ｎは１〜１０の数を示す。〕で表されるアルキルサッカライド系界面活性剤０．１〜２０重量％
、水溶性高分子物質０．１〜８．０重量％
ミノキシジルを含有せず、
トリートメントムース、セットムース及び整髪料から選ばれる毛髪化粧料
【発明の詳細な説明】
〔産業上の利用分野〕
　本発明は、
毛髪化粧料
トリートメントムース、セットムース及び整髪料から選ばれる毛髪化粧料
〔従来の技術〕
　容器から噴出させると同時に発泡し、その発泡した状態で使用される化粧料や整髪料がある。これら化粧料等を構成する発泡組成物には、一般に、噴射剤による発泡を促すために、助剤としてポリオキシエチレン付加型の非イオン性界面活性剤が使用されている。
〔発明が解決しようとする課題〕
　しかしながら、上記非イオン性界面活性剤を使用する発泡組成物は、活性剤の曇点現象より、泡だちが悪い上に広い温度範囲において均一な起泡性を示さず、特に高温側で泡が生成しない等の欠点を有している。
　従って、本発明の目的は、泡持ちが良く、しかも広い温度範囲において安定した起泡性を有する等の優れた泡特性を有する
トリートメントムース、セットムース及び整髪料から選ばれる毛髪化粧料
〔課題を解決するための手段〕
　本発明者らは、泡特性に優れた
トリートメントムース、セットムース及び整髪料から選ばれる毛髪化粧料
　本発明は、上記知見によりなされたもので、次の一般式（Ｉ）
　　Ｒ１−Ｏ−（Ｒ２Ｏ）ｍ（Ｇ）ｎ　（Ｉ）
〔式中、Ｒ１は炭素数６〜２８の直鎖または分岐鎖のアルキル基、アルケニル基もしくはアルキルフェニル基を示し、Ｒ２は炭素数２〜４のアルキレン基を示し、Ｇは炭素数５〜６の還元糖を示し、ｍは０〜１０の数を示し、ｎは１〜１０の数を示す。〕で表されるアルキルサッカライド系界面活性剤０．１〜２０重量％
、水溶性高分子物質０．１〜８．０重量％
ミノキシジルを含有せず、
トリートメントムース、セットムース及び整髪料から選ばれる毛髪化粧料
　以下、本発明について詳述する。
　本発明の
毛髪化粧料（トリートメントムース、セットムース及び整髪料）
よい
　本発明の
毛髪化粧料
　前記（Ｉ）式中、Ｒ１は炭素数６〜２８の直鎖または分岐鎖のアルキル基、アルケニル基もしくはアルキルフェニル基である。炭素数が６未満のものでは充分な発泡性が得られず、炭素数が２８を超えたものでは溶解性が悪化し、系中での安定性を損なう恐れがある。
　Ｒ１がアルキル基である場合、泡を安定化させるためには、長鎖のものが好ましく、中でも特に炭素数１０〜１８の直鎖または分岐鎖のアルキル基（デシル基、ラウリル基、ミリスチル基、セチル基、ステアリル基等）であることが望ましい。
　また、アルキレンオキシドを形成するＲ２は炭素数２〜４のアルキレン基であり、その平均重合度ｍは、０〜１０の数であることが、中でも０〜３であることが好ましく、特に０が好ましい。アルキレン基の炭素数が５を超える場合には温度依存性が出てきて、高温側での泡持ちが悪くなる。また、上記平均重合度ｍが１０を超える場合は親水性が高くなりすぎて発泡しにくくなる。
　また、親水基であるサッカライド部分〔式（Ｉ）中Ｇ〕は、炭素数５〜６の還元糖を基本単位としており、この還元糖としては、グルコース、ガラクトース、フラクトースが好ましい。上記サッカライド部分の平均重合度（Ｓ）〔式（１）中ｎに相当〕は１〜１０であり、平均重合度（Ｓ）が１〜４であるものが８０％以上であることが好ましい。更に、平均重合度（Ｓ）が低いもの、特に１〜１．４であるものが好ましい。平均重合度（Ｓ）が１０を超えると親水性が高くなりすぎ、発泡性が悪化する。
　また、平均重合度（Ｓ）と基Ｒ１の両者が相互に化合物（Ｉ）に与える影響を考慮すると、Ｒ１が炭素数８〜１１である場合は平均重合度（Ｓ）が１〜１．４であることが、また、Ｒ１が炭素数１２〜１４である場合はそれが１．５〜４であることが好ましい。尚、糖の平均重合度（Ｓ）はプロトンＮＭＲ法により測定したものである。
　上述のアルキルサッカライド系界面活性剤の具体例としては、Ｋｏｅｎｉｇｓ−Ｋｎｏｒｒ法のよって得られる、オクチルグルコシド、ノニルグルコシド、デシルマルトシド、ドデシルマルトシド、ポリオキシエチレン（３Ｅ．０．）ドデシルグルコシド等のβ−アルキルサッカライドを挙げることができ、また、グルコース、ガラクトース、マルトース等の還元糖と、天然やオキソ法等による合成の高級アルコール、ポリオキシエチレン付加型高級アルコール等の高級アルコールとから合成されるサッカライド（ＵＳＰ−３２１９６５６，ＵＳＰ−３８３９３１８，ＵＳＰ−４２２３１２９）等を挙げることができる。
　上記アルキルサッカライド系界面活性剤の配合量としては、０．１〜２０％であり、特に好ましくは０．２〜１０％である（以下％は明示しない限り重量基準である）。
　また、本発明の
毛髪化粧料
　上記噴射剤は、発泡に必要な量が配合される。その配合量は用いる噴射剤の種類によっても異なるが、通常１〜１５％である。但し、上記範囲に限定されない。
　本発明の
毛髪化粧料
　発泡性、泡持ちを向上させる他の成分としては、カチオン性、両性、アニオン性、非イオン性等の水溶性高分子物質を挙げることができ、その好ましい配合量としては、０．１〜５％である。
　水溶性高分子物質は、粘性もしくは被膜形成性を有するものを好適に挙げることが出来る。例えば、ＭＳ　Ｂａｉｓａｍ　ａｎｄ　Ｅｄｗａｒｄ　Ｓａｇａｒｉａ（１９７２）編、第２版、「Ｃｏｓｍｅｔｉｃ　Ｓｅｉｅｎｃｅ　ａｎｄ　Ｔｅｃｈｎｏｌｏｇｙ」第２巻、３５２頁の「Ｈａｉｒ　Ｌａｃｑｕｅｒｓ　ｏｒ　Ｈａｉｒ　Ｓｐｒａｙｓ」の標題部分、および「Ｈａｒｒｙ’ｓ　Ｃｏｓｍｅｔｉｃｏｌｏｇｙ」１９７３年の４１１頁「Ｈａｉｒ　Ｓｐｒａｙ　Ｒｅｓｉｎｓ」の標題部分に記載されているが、好ましい具体例としては、以下に示すビニルモノマー類の重合体及びセルロース誘導体が挙げられる。
　ビニルモノマー類の重合体としては
　（１）ポリビニルピロリドン系高分子化合物、例えば、ポリビニルピロリドンおよびビニルピロリドンと酢酸ビニルの共重合物、ポリビニルピロリドン／メタアクリル酸／メタアクリル酸エステルの共重合物、およびビニルピロリドン／酢酸ビニル／アルキルアミノアクリレートの共重合物などが挙げらる。市販品としては、ポリビニルピロリドンとして、Ｌｕｖｉｓｃｏｌ　Ｋ（ＢＡＳＦ社）、ＰＶＰ　Ｋ（ＧＡＦ社）が、ポリビニルピロリドンと酢酸ビニル共重合体として、Ｌｕｖｉｓｋｏｌ　ＶＡ（ＢＡＳＦ社）、ＰＶＰ／ＶＡ（ＧＡＦ社）が、また、ポリビニルピロリドンと酢酸ビニルにプロピオン酸ビニル三元共重合体としてＬｕｖｉｓｋｏｌ　ＶＡＰ（ＢＡＳＦ社）などが、また、ビニルピロリドンとアルキルアミノアクリレートの共重合体としてコポリマー（ＧＡＦ社）、Ｌｕｖｉｆｌｅｘ（ＢＡＳＦ社）が、ビニルピロリドンとアルキルアミノアクリレートとビニルカプロラクタムの三元共重合体としてコポリマーＶＣ−７１３（ＧＡＦ社）、ビニルピロリドンとメタアクリル酸及びメタアクリル酸共重合体としてＶｅｍ（Ｂａｎ−Ｓｔａｌｆｏｒｔ）などが挙げられる。
　（２）酢性ビニルエーテル系高分子化合物
　例えば、メチルビニルエーテルと無水マレイン酸との共重合物の低級アルキルハーフエステル等が挙げられ、市販品としては、ガントレッツＥＳ−２２５、ＥＳ−３３５、ＥＳ−４２５（ＧＡＦ社）などが挙げられる。
　（３）酸性ポリ酢酸ビニル系高分子化合物
　例えば、酢酸ビニルとクロトン酸との共重合物等が挙げられ、市販品としては、レジン２８−１３１０（Ｎａｔｉｏｎａｌ　Ｓｔａｒｃｈ　社）、ルビセットＣＡ（ＢＡＳＦ社）などがある。
　また、酢酸ビニルとクロトン酸とネオデカン酸ビニルとの三元共重合体としてレジン２８−２９３０（Ｎａｔｉｏｎａｌ　Ｓｔａｒｃｈ　社）が、また、酢酸ビニルとクロトン酸とプロピオン酸ビニルとの三元共重合体としてルビセットＣＡＰ（ＢＡＳＦ社）が挙げられる。
　酢酸ビニルとＮ−ビニル５−メチル−２−オキサゾリンの共重合体としてＤｅｗｌｅｘ（Ｄｏｗ　Ｃｈｅｍｉｃａｌ社）が挙げられる。
　（４）酸性アクリル系高分子化合物
　例えば、アクリル酸および／またはメタクリル酸と、アクリル酸アルキルエステルおよび／またはメタクリル酸アルキルエステルとの共重合物、並びに、アクリル酸とアクリル酸アルキルエステルとＮ−アルキルアクリルアミドの共重合物等が挙げられる。市販品としては、プラスサイズ（互応化学）、ウルトラホールド８（ＢＡＳＦ社）などがある。
　（５）両性アクリル系高分子化合物
　例えば、ジアルキルアミノエチルメタクリレート、ジアルキルアミノエチルアクリレート、ダイアセトンアクリルアミド等とアクリル酸、メタクリル酸、アクリル酸アルキルエステル、メタクリル酸アルキルエステル等を共重合し、ハロゲン化酢酸で両性化した化合物等が挙げられ、市販品としてはユカフォーマーＡＭ７５（三菱油化）等が挙げられる。
　また、アクリル酸ヒドロキシプロピルとメタアクリル酸ブチルアミノエチル及びアクリル酸オクチルアミドの三元共重合体が挙げられ、市販品としてはＡＭＰＨＯＭＥＲ２８−４９１０（Ｎａｔｉｏｎａｌ　Ｓｔａｒｃｈ社）が挙げられる。
　セルロース誘導体としては、
　（１）カチオン化セルロース
　（２）ヒドロキシエチルセルロース
等が挙げられ、これらは分子量９００，０００〜２，５００，０００程度のものが好ましい。
　尚、上記水溶性高分子のうち、酸基をもった高分子化合物については、洗髪時等における除去の容易性及び感触の点から酸基の一部又は全部（５０％ないし１００％）を中和することが好ましい。中和に使用するアルカリとしては、特に制約はなく、高分子化合物中の酸基をナトリウム、カリウム等のアルカリ金属塩；アンモニウム塩あるいはエタノールアミン、ジエタノールアミン、トリエタノールアミン、２−アミノ−２−メチルプロパノール、２−アミノ−２−メチル−１・３−プロパンジオール、アミノメルカプトプロパンジオール、トリイソプロパノールアミン、グリシン、ヒスチジン、アルギニン等々の有機塩基塩とすることができる。このうち、特に２−アミノ−２−メチルプロパノール、２−アミノ−２−メチル−１・３−プロパンジオールの塩が好ましい。
　また、更に、他の成分として、公知の化粧料成分、即ち、両性活性剤、アニオン活性剤、カチオン活性剤、非イオン活性剤、高級アルコール、ラノリン誘導体、蛋白質誘導体、生薬等の植物抽出物、金属イオン封鎖剤、防腐剤、殺菌剤、グリセリン等の保湿剤、ｐＨ調整剤、紫外線吸収剤、酸化防止剤、酸化剤、還元剤、色素及び香料等を本発明の効果を損なわない範囲において必要に応じて配合できる。
〔実施例〕
　以下、本発明の
毛髪化粧料（発泡組成物）
　尚、後述する各実施例において性能評価のために採用した発泡性試験法及び使用したアルキルサッカライド系界面活性剤は以下の通りである。
〔発泡性試験〕
　容器中にエアゾール充▲填▼され、且つ−５℃及び４０℃にそれぞれ保存された発泡組成物を容器より噴出させ、噴出時の発泡性及び５秒後の泡持ちを以下の基準で評価した。
・発泡性
　　○‥‥‥‥‥クリーミーな泡
　　△‥‥‥‥‥粗い泡
　　×‥‥‥‥‥泡立たない
・泡持ち
　　○‥‥‥‥‥噴出時と同一の泡体積を有する
　　×‥‥‥‥‥噴出時より泡体積が減少する
〔アルキルサッカライド系界面活性剤〕
　アルキルサッカライド系界面活性剤（１）：
　前記（Ｉ）式中、
　Ｒ１＝ラウリル（Ｃ１２）基，Ｇ＝グルコース
　ｍ＝０，ｎ＝２．１
アルキルサッカライド系界面活性剤（２）：
　前記（Ｉ）式中、
　Ｒ１＝ミリスチル（Ｃ１４）基，Ｇ＝グルコース
　ｍ＝０，ｎ＝４．８
アルキルサッカライド系界面活性剤（３）：
　前記（Ｉ）式中、
　Ｒ１＝ステアリル（Ｃ１８）基，Ｇ＝グルコース
　ｍ＝０，ｎ＝６．８
実施例１
　下記表−１の各欄に記載した配合からなる発泡組成物を調製し、それぞれについて発泡性試験を行い、その結果を同表の該当欄に併記した。
　尚、各配合は、残余（バランス）の水を含めて合計１００重量部である。また、ポリビニルピロリドン＊としては、ＰＶＫ　Ｋ−２０（ＧＡＦ社製）を使用した。
　下記表−１の評価結果より、本発明の発泡組成物が優れた発泡性を有していることが判る。
実施例２
　下記表−２の各欄に記載した配合からなる発泡組成物を調製し、それぞれについて発泡性試験を行った。その他は前記実施例１の場合と同様である。
　尚、アクリル酸・メタクリル酸共重合体エステル＊としては、プラサイズＬ５３Ｐ（互応化学製）を使用した。
　下記表−
２
［発明の効果］
　本発明の
毛髪化粧料